(57)【要約】【課題】スライドレール及びブラケットの分解と組立てをより容易に迅速に行うことができる前分解式スライドレールブラケットを提供する。【解決手段】端板１１、ガード部品３、制限部品２２及び解除部品４を含む。端板１１は、貫通した開槽１１１が設置され、後方には掛柱２が連結し、これにより、掛柱２は別に連接板２１上に設置され、連接板２１は貫通した開槽２１１が設置され、開槽１１１に対応する。ガード部品３は、係合接触端３１を備え、端板１１の後方に向かっている。制限部品２２は、端板１１の後方に設置されている。解除部品４は、棒身４１を備え、開槽１１１及び開槽２１１を通過し、棒身４１の末端は係合接触端３１に接する。【選択図】図１
0003128375.tif 000002
【実用新案登録請求の範囲】
【請求項１】
端板、ガード部品、制限部品及び解除部品を備え、
前記端板は相対する前方部と後方部とを有し、貫通した開槽が設置され、後方部には掛柱が連結し、前記掛柱は別に連接板上に設置され、前記連接板には貫通した開槽が設置され、前記端板の開槽に対応し、
前記ガード部品は係合接触端を有し、前記端板の後方に向かい、
前記制限部品は前記端板の後方に設置され、
前記解除部品は棒身を有し、前記端板の開槽及び前記連接板の開槽を通過し、前記棒身の末端は前記ガード部品の係合接触端に接していることを特徴とする前分解式スライドレールブラケット。
【請求項２】
前記掛柱は、少なくとも２本設置され、相互に隣り合う２本の掛柱の間には連接板を備えることを特徴とする請求項１記載の前分解式スライドレールブラケット。
【請求項３】
前記制限部品は、前記連接板上に設置され、前記ガード部品に向かい、前記ガード部品の係合接触端は前記制限部品に接触することを特徴とする請求項２記載の前分解式スライドレールブラケット。
【請求項４】
前記制限部品は、前記端板上に設置され、前記ガード部品に向かい、前記ガード部品の係合接触端は前記制限部品に接触することを特徴とする請求項１記載の前分解式スライドレールブラケット。
【請求項５】
前記制限部品は、フック部が設置され、前記ガード部品の係合接触端には槽孔が設置され、前記槽孔はフック部に嵌設可能であることを特徴とする請求項１記載の前分解式スライドレールブラケット。
【請求項６】
前記ガード部品は、ブラケット上に可動接続し、弾性部品と接続し、前記ガード部品はスイング及び弾力回復が可能であることを特徴とする請求項１記載の前分解式スライドレールブラケット。
【請求項７】
前記ガード部品は、ブラケット上に固定され、前記ガード部品は弾性体であり、係合接触端は弾性動作が可能であることを特徴とする請求項１記載の前分解式スライドレールブラケット。
【考案の詳細な説明】
【技術分野】
【０００１】
本考案は、前分解式スライドレールブラケットに関する。特に、解除部品をブラケットの前方より穿入させることで、ブラケットの設置固定状態を解除可能な前分解式スライドレールブラケットに係る。
【背景技術】
【０００２】
一般に、スライドレールに結合したブラケットは、金属製サポートフレームに便利に係合接続可能な運用方式で、しばしばラックマウントコンピュータシステム（RACK-MOUNTED COMPUTER SYSTEM）において見られる。
この類のスライドレールブラケットの設計は非常に多様で、現在の主要な設計トレンドは工具要らずで、迅速に分解と組立ての機能を擁するものである。これには、米国特許第６，６５９，５７７Ｂ号、米国特許第６，８９１，７２７Ｂ２号、早期に公開された米国特許第２００６／０１５２１１５Ａ１号、台湾特許第Ｍ２８１５２０号及び台湾特許第Ｍ２８１５２５号がある。
【０００３】
しかし、これら公知技術において、ブラケットは、設置固定後、もし取外そうとするなら、すべてブラケットの側辺より操作する必要がある。このような状況では、該ブラケットの上方或いは下方にはスライドレール及びブラケットを設置しないようにしなければ、使用者は手を前方から伸入させ、手を湾曲させて側辺に至らせ、係合部品を解除することはできない。よって、スライドレールとブラケットが相互に隣り合って上下に緊密に並び設置されている時に、１組のスライドレール及びブラケットだけを取外したい場合にも、取外し空間にある別の組のスライドレール及びブラケットを取外す必要があり、非常に面倒で不便である。
【考案の開示】
【考案が解決しようとする課題】
【０００４】
本考案は、上記構造の問題点を解決した前分解式スライドレールブラケットを提供するものである。
【課題を解決するための手段】
【０００５】
上記課題を解決するため、本考案は、下記の前分解式スライドレールブラケットを提供する。
それは、主に、前分解式スライドレールブラケットを提供し、上下相互に隣り合って排列設置されるスライドレール及びブラケットが単独で直接取外しできないという問題を解決し、解除部品をブラケットの前方より穿入させることで、ブラケットの設置固定状態を解除可能である。
【０００６】
すなわち、それは、端板、ガード部品、制限部品および解除部品を含む。
該端板は、相対する前方と後方を備え、貫通した開槽が設置され、しかも後方には掛柱を連結し、これにより、該掛柱は別に連接板上に設置され、該連接板には貫通した開槽を設置し、該端板の開槽に対応し、該ガード部品は弾性動作が可能で、しかも係合接触端を備え、該端板の後方に向かい、該制限部品は該端板の後方に設置され、該解除部品は棒身を備え、該端板の開槽及び該連接板の開槽を通過し、棒身の末端は該ガード部品の係合接触端につかえることができる。
【０００７】
該掛柱は、少なくとも２本設置し、相互に隣り合う２本の掛柱の間には連接板を備える。
該制限部品は、該連接板上に設置し、該ガード部品に向かい、これにより、該ガード部品の係合接触端は該制限部品につかえる。
該制限部品は、該端板上に設置し、該ガード部品に向かい、これにより、該ガード部品の係合接触端は該制限部品につかえる。
【０００８】
該制限部品にはフック部を設置し、該ガード部品の係合接触端には槽孔を設置し、該槽孔はフック部に嵌設可能である。
該ガード部品は、該ブラケット上に可動接続し、弾性部品と接続し、これにより、該ガード部品はスイング及び弾力回復が可能である。
該ガード部品は、該ブラケット上に固定し、しかも該ガード部品は弾性体で、これにより、係合接触端は弾性動作が可能である前分解式スライドレールブラケットを提供する。
【考案の効果】
【０００９】
上記のように、本考案は、公知技術と比較して、単一スライドレール及びブラケットの分解と組立てをより容易に迅速にすることができるという機能、効果および長所を備える。
【考案を実施するための最良の形態】
【００１０】
図１に示すように、本考案の第一実施例による前分解式スライドレールブラケットは、ブラケット１、掛柱２およびガード部品３を含む。
該ブラケット１には端板１１を設置し、該端板１１は相対する前方と後方を備え、該端板１１には貫通した開槽１１１を設置し、該端板１１の後方には掛柱２を連結する。
該掛柱２は少なくとも２本設置し、相互に隣り合う２本の掛柱２の間には連接板２１を設置し、該掛柱２は該連接板２１上に設置し、しかも該連接板２１上には制限部品２２を設置し、該制限部品２２末端にはさらにフック部２２１を設置し、連接板２１を貫通する開槽２１１を設置する。該開槽２１１は該開槽１１１に対応する。
【００１１】
該ガード部品３は、該ブラケット１上に可動接続する。該ガード部品３は係合接触端３１を備え、該端板１１の後方に向かい、該ガード部品３にはシート状の弾性部品３２が連接し、これにより、該ガード部品３はスイング及び弾性回復が可能となる。しかも、該ガード部品３の係合接触端３１にはさらに槽孔３１１を設置し、該槽孔３１１は該制限部品２２のフック部２２１に嵌合する。
【００１２】
該解除部品４は、前記開槽１１１および開槽２１１を通過可能な棒身４１を備え、該棒身４１の末端は前記ガード部品３の係合接触端３１につかえることができる。また、該解除部品４はドライバーを採用することもでき、これでも同等の効果を得ることができる。
また、図２に示すように、前記弾性部品３２ａは、別種の棒状型態とすることができ、別種の形式のガード部品３ａを対応させる。或いは、図３に示すように、弾性部品３２ｂは、トルクばねとすることができる。
【００１３】
上記設計において、該ブラケット１が該掛柱２により該サポートフレーム５の設置孔５１に挿入され、該ガード部品３の係合接触端３１により該サポートフレーム５に接触して固定された後、再び該ブラケット１を分解したい時には、図４と図５に示すように、該解除部品４の棒身４１により該端板１１の開槽１１１と該連接板２１の開槽２１１を貫通し、これにより、該棒身４１の末端は該ガード部品３の係合接触端３１においてつかえる。
【００１４】
さらに、図５と図６に示すように、該解除部品４を押し動かす。これにより、該ガード部品３の係合接触端３１は該ブラケット１側面に向かって移動し、該サポートフレーム５を離れ、ブラケット１とサポートフレーム５の固定関係を解除することができる。
本考案の第二実施例は、図７に示すように、前記第一実施例との差異は以下の通りである。
【００１５】
掛柱２ａは少なくとも２本設置し、該２本の掛柱２ａはそれぞれ該端板１１ａ後方の上下位置に設置し、該端板１１ａの中央位置には制限部品２２ａを設置する。該制限部品２２ａ末端にはさらにフック部２２１ａを設置し、しかも、該制限部品２２ａは該端板１１ａの板体により湾折成型し、該板体の湾折成型位置に直接開槽１１１ａを形成する。
本考案の第三実施例は、図８に示すように、前記第一実施例との差異は以下の通りである。
【００１６】
掛柱２ｂは少なくとも２本設置し、該２本の掛柱２ｂの間には連接板２１ｂを設置し、該連接板２１ｂは該端板１１ｂ前方に密着し、該２本の掛柱２ｂはそれぞれ該端板１１ｂの上下位置を貫通する。該連接板２１ｂが該端板１１ｂの中央位置に対応して設置される開槽１１１ｂは別の開槽２１１ｂを設置する。
以上、第二実施例と第三実施例の掛柱２ａと掛柱２ｂは、円柱形態とすることができる。
また、図９に示すように、該ガード部品３ｃは弾性体で、一端は該ブラケット１ｃ上に固定し、反対端は係合接触端３１ｃで、係合接触端３１ｃは弾性動作が可能である。
【図面の簡単な説明】
【００１７】
【図１】本考案の第一実施例による前分解式スライドレールブラケットを示す斜視図である。
【図２】本考案の第一実施例による前分解式スライドレールブラケットの棒状型態の弾性部品を示す斜視図である。
【図３】本考案の第一実施例による前分解式スライドレールブラケットのトルクばねの弾性部品を示す斜視図である。
【図４】本考案の第一実施例による前分解式スライドレールブラケットのブラケットとサポートフレームの固定関係を解除する状態を示す斜視図である。
【図５】本考案の第一実施例による前分解式スライドレールブラケットのブラケットとサポートフレームの固定関係を解除する状態を示す斜視図である。
【図６】本考案の第一実施例による前分解式スライドレールブラケットのブラケットとサポートフレームの固定関係を解除する状態を示す斜視図である。
【図７】本考案の第二実施例による前分解式スライドレールブラケットを示す斜視図である。
【図８】本考案の第三実施例による前分解式スライドレールブラケットを示す斜視図である。
【図９】本考案の第三実施例による前分解式スライドレールブラケットのガード部品を示す斜視図である。
【符号の説明】
【００１８】
１：ブラケット、１ｃ：ブラケット、２：掛柱、２ａ：掛柱、２ｂ：掛柱、３：ガード部品、３ａ：ガード部品、３ｃ：ガード部品、４：解除部品、１１：端板、１１ａ：端板、１１ｂ：端板、２１：連接板、２１ｂ：連接板、２２：制限部品、２２ａ：制限部品、３１：係合接触端、３１ｃ：係合接触端、３２：弾性部品、３２ａ：弾性部品、３２ｂ：弾性部品、４１：棒身、５１：設置孔、１１１：開槽、１１１ａ：開槽、１１１ｂ：開槽、２１１：開槽、２２１：フック部、２２１ａ：フック部、３１１：槽孔
【図１】
0003128375.tif 000003
【図２】
0003128375.tif 000004
【図３】
0003128375.tif 000005
【図４】
0003128375.tif 000006
【図５】
0003128375.tif 000007
【図６】
0003128375.tif 000008
【図７】
0003128375.tif 000009
【図８】
0003128375.tif 000010
【図９】
0003128375.tif 000011